(57)【要約】小児用椅子アセンブリ（１０）は、支持面に載せるフレーム（１２）と、フレーム（１２）に取り外し可能に装着されるシート支持部（１４）と、を含む。シート支持部（１４）は、フレーム（１２）から選択的に取り外すときに、支持面に自立するように適合される。シート支持部（１２）は、可撓性のある材料（１６）からなりフレーム（４０）に支持されるシートおよび背もたれを支持する周囲フレーム（４０）の形態にし得る。周囲フレーム（４０）は、直立した位置および傾斜した位置を含む２つまたはそれ以上の位置の間を動くように、フレーム（１２）に対して可動に装着され得る。フレーム（１２）は、基部（２９）と、基部（２９）に回動するように装着される脚部（２８）とを有し得る。これによって、作動する形態と、脚部（２８）が基部（２９）と実質的に同一平面になるかまたは基部（２９）と少なくとも実質的に平行になる折り畳まれた形態と、の間を選択的に動き得る。脚部は、シート支持部（１４）の高さ調節を行い得るように、長さを調節し得る。
2008541956.tif 000002
【特許請求の範囲】
【請求項１】
支持面上に載るフレームと、
前記フレームに取り外し得るように装着されて、シートを支持し、前記フレームから選択的に取り外されるとき前記支持面上に自立するように適合されたシート支持部と、
を含む小児用椅子アセンブリ。
【請求項２】
前記シート支持部は、非作動位置から作動位置に可動な支持脚部を含む請求項１に記載の小児用椅子アセンブリ。
【請求項３】
前記シート支持部は、前記支持脚部が回動するように装着されたシートフレームを含む請求項２に記載の小児用椅子アセンブリ。
【請求項４】
前記小児用椅子アセンブリには、シート支持部により支えられるトレイが設けられ、当該トレイは、前記フレームから取り外すときに、前記シート支持部とともに取り外される請求項１から３のいずれかに記載の小児用椅子アセンブリ。
【請求項５】
前記トレイは、前記シート支持部から選択的に取り外し可能である請求項４に記載の小児用椅子アセンブリ。
【請求項６】
前記シート支持部は、前記トレイを対応させて動かさずに、前記フレームに対して傾け得る請求項４または５に記載の小児用椅子アセンブリ。
【請求項７】
前記シート支持部と前記フレームとは、係合を解除する１つまたはそれ以上の解除作動部によりはめ合わされ、前記１つまたはそれ以上の解除作動部の作動を両方の手で行う必要がある請求項１から６のいずれかに記載の小児用椅子アセンブリ。
【請求項８】
前記フレームまたはシート支持部の、間隔をおいた２つの位置に、ラッチが設けられて、各ラッチの作動を両方の手で行う必要がある請求項７に記載の小児用椅子アセンブリ。
【請求項９】
前記フレームは、基部および脚部を含むカンチレバー式の形状であって、前記脚部は、前記基部の一方の側から上方に延びバランスをとるために前記基部上方において傾斜し、前記シート支持部の高さ調節を行うように延長可能である請求項１から８のいずれかに記載の小児用椅子アセンブリ。
【請求項１０】
支持面上に載るフレームと、
可撓性のある材料からなるシートおよび背もたれを支持する周囲フレームの形態のシート支持部であって、前記シートおよび背もたれは、前記周囲フレームで支持され、当該周囲フレームは、直立した位置および傾斜した位置を含む２つまたはそれ以上の位置の間を動くように、前記フレームに対して可動に装着される、シート支持部と、
を含む、小児用椅子アセンブリ。
【請求項１１】
前記小児用椅子アセンブリには、前記シート支持部に装着されるトレイが設けられ、当該トレイは、前記２つまたはそれ以上の位置の間に前記支持フレームを動かしている間、水平な位置を保つ請求項１０に記載の小児用椅子アセンブリ。
【請求項１２】
前記シート支持部と前記フレームとは、前記シート支持部の傾き動作を促進する１つまたはそれ以上の解除作動部によりはめ合わされ、当該１つまたはそれ以上の解除作動部の作動は、両方の手で行う必要がある請求項１０または１１に記載の小児用椅子アセンブリ。
【請求項１３】
前記フレームまたはシート支持部の、間隔をおいた２つの位置に、作動部が設けられて、各孔の作動は、両方の手で行う必要がある請求項１２に記載の小児用椅子アセンブリ。
【請求項１４】
前記可撓性のある材料は、フットレストを組み込む請求項１０から１３のいずれかに記載の小児用椅子アセンブリ。
【請求項１５】
支持面上に載るフレームであって、基部と脚部とを有し、当該脚部は、作動する形態と、前記脚部が前記基部と実質的に同一平面にあるかまたは前記基部と少なくとも実質的に平行である折り畳まれた形態と、の間を選択的に動くように、前記基部に回動し得るように装着されるフレームと、
小児用椅子を支持するように前記フレームに装着されたシート支持部と、
を含む小児用椅子アセンブリ。
【請求項１６】
前記シート支持部が、前記フレームに回動するように装着され、また、作動する形態と、前記シート支持部が前記フレームと実質的に同一平面にあるかまたは前記フレームと少なくとも実質的に平行である折り畳まれた形態と、の間を選択的に動く請求項１５に記載の小児用椅子アセンブリ。
【請求項１７】
前記シート支持部は、可撓性のある材料からなるシートを支持する支持フレームの形態である請求項１５または１６に記載の小児用椅子アセンブリ。
【請求項１８】
前記小児用椅子アセンブリは、保管しやすくなるように、取り外し得るかまたは折り畳み得るように取り外し可能なトレイを含む請求項１５から１７のいずれかに記載の小児用椅子アセンブリ。
【請求項１９】
前記作動する形態と、折り畳まれた形態との間の動きを促進するように、１つまたはそれ以上の作動部が設けられ、前記１つまたはそれ以上の作動部の作動は、両手で行う必要がある請求項１５から１８のいずれかに記載の小児用椅子アセンブリ。
【請求項２０】
前記作動部は、各ラッチの作動を両方の手で行う必要を生じる、前記フレームまたはシート支持部上の、間隔をおいた２つの位置に設けられる請求項１９に記載の小児用椅子アセンブリ。
【請求項２１】
支持面上に載るフレームであって、基部と、当該基部の一方の側から上方に延び前記基部上方において傾斜する脚部とを有するフレームと、
シートを支持するように前記脚部に装着されたシート支持部であって、前記フレームの脚部は、前記シート支持部の高さを調節するように長さを調節可能である、シート支持部と、
を含む、小児用椅子アセンブリ
【請求項２２】
前記脚部は、前記シート支持部の各側をそれぞれ支持する２本の脚形支柱を含む請求項２１に記載の小児用椅子アセンブリ。
【請求項２３】
前記脚部は、保管する形態に折り畳むために前記基部に対して回動し得る請求項２１または２２に記載の小児用椅子アセンブリ。
【発明の詳細な説明】
【技術分野】
【０００１】
本発明は、大人が小児に食事を与えやすい高さにし得る小児用椅子アセンブリに関する。特に、限定はしないが、本発明は、特に小児が、特に地面に近い高さを含めて、種々の高さの範囲に置かれるように適合される。本発明の別の特定の特徴は、本発明をその特徴に限定はしないが、小児用椅子アセンブリを、特に保管に適する形態に折り畳みやすいという特徴である。
【背景技術】
【０００２】
知られている小児用椅子の一形態は、小児用椅子のシート部を支持するＡ字形フレームに構成されている。このような小児用椅子では、小児用椅子を、高さ調節し、かつ保管のためにいくらか小型になるように調節することができる。しかしながら、このような小児用椅子は、特に小型に畳むまたは折り畳むことができないので、比較的広い保管場所が必要である。既知の小児用椅子は、平坦なパックの形で販売されていることが多く、部品同士をカチッと留め合わせることによって組み立てる。しかしながら、これらの小児用椅子は、小型にして保管しやすくするために分解するのは容易ではない。さらに、最も知られている小児用椅子は、剛性のあるシート部を有し、当該シート部は、さらに保管の形態を嵩高くする。
【０００３】
よって、本発明の目的は、上記欠点の少なくともいくつかに対処し、または有用な選択の機会を一般の人々に提供する小児用椅子アセンブリを提供することである。
【０００４】
前出の先行技術の説明は、共通の一般的知識とみなすべきではない。
【発明の開示】
【課題を解決するための手段】
【０００５】
本発明の第１の態様によれば、小児用椅子アセンブリが提供され、当該小児用椅子アセンブリは、支持面上に載るフレームと、シート支持部とを含み、シート支持部は、フレームに取り外し得るように装着されて、シートを支持し、フレームから選択的に取り外されると支持面上に自立するように適合される。
【０００６】
フレームは、支持面と係合するいくつかの脚部を含み得る。一代替実施形態では、フレームは、台座型の構造を含み得る。しかしながら、本発明の最も好ましい形態では、フレームは、基部および脚部を含むカンチレバー式の構造である。基部は、四角形の基部フレームを画定するフレーム部材を含み得る。脚部は、基部の一方の側から上方に延び、バランスをとるために基部上方において傾斜することが好ましい。シート支持部の各側をそれぞれ支持する脚形支柱が存在し得る。フレームは、中空の複数の金属部分から形成することができ、当該中空の複数の金属部分は、プラスチック成形された取り付け部品により嵌め合わされ、これによって、プラスチック成形された取り付け部品により、相対的な調節が可能になる。例えば、脚部は、保管する形態に折り畳むように、基部に対して回動させ得る。
【０００７】
フレームは、高さ調節を行い得るようにシート支持部を支持し得る。これは、脚部を延ばし得ることにより行うことができる。例えば、脚部の２本の脚形支柱は、入れ子式であり、複数の位置に調節され得る。脚形支柱を所定の位置にロックする１つまたはそれ以上のロック装置を設けることができ、ロック装置は、ロック装置を選択的に解除する１つまたはそれ以上の解除作動部を有する。
【０００８】
フレームとシート支持部とを解放可能に装着することは、フレームとシート支持部とに、相互に係合する部分を備えることにより行い得る。例えば、シート支持部に、フレームの相補的な凹所と係合するように間隔をおいて配置された一対の突起部を、備えることができる。さらに詳細には、フレームは、突起部が受け入れられる中空の押し出し成形品を含み得る。代替構成では、各フレームおよびシート支持部に、相補的な取り付け部品を設け得る。
【０００９】
解放可能な装着には、シート支持部が不用意にフレームから外れないように安全を確保するための特徴を設けることが好ましい。このようなものとして、シート支持部とフレームとが、係合を解除し得る１つまたはそれ以上の解除作動部によりロックされる。１つまたはそれ以上の解除作動部の作動を両手で行う必要があることが、好ましい。したがって、ラッチを、フレームまたはシート支持部の、間隔をおいた２つの位置に設けて、各ラッチの作動を両手で行う必要が生じるようにできる。ラッチは、その都度、押しボタンで作動させ得る。
【００１０】
シート支持部も、シートが直立位置と傾斜位置とに調節され得るように、フレームに対して可動に装着し得る。よって、シート支持部は、フレームに回動し得るように装着され得る。さらに、ロック装置を、種々の位置にシート支持部をロックするために設け、また、解除作動部を、１つの位置から別の位置への動きを促進するために設け得る。
【００１１】
本発明を上に説明したように、シート支持部は、支持面上において直立位置または傾斜位置にシートを支持するという点で、自立している。シート支持部は、フレームから取り外すと、支持面上に自立するように予め適合させ得る。あるいは、シート支持部には、支持面上に自立させるための調節が必要な場合がある。例えば、支持脚部を、非作動位置から作動位置へ動かし得る。シート支持部は、支持用の脚形フレームが回動し得るように装着されたシートフレームを含み得ることが、最も好ましい。１つまたはそれ以上のロック装置および／または解除作動部を、回動する脚形フレームを動かすために設け得る。
【００１２】
シート支持部は、剛性のあるシートを支持し得る。しかしながら、さらに好ましい実施形態では、シート支持部は、可撓性のある材料からなるシートを支持する支持フレームの形態である。例えば、シートは、重量を支えるストラップを有する布地または生地からなる場合がある。
【００１３】
小児用椅子アセンブリには、トレイを設ける場合がある。トレイは、シート支持部により支持され、フレームから取り外されるときシート支持部とともに取り外されることが好ましい。
【００１４】
本発明の第２の態様によれば、小児用椅子アセンブリが提供され、当該小児用椅子アセンブリは、支持面上に載るフレームと、シート支持部とを含み、当該シート支持部は、可撓性のある材料からなりフレームで支持されるシートおよび背もたれを支持する周囲フレームの形態であり、周囲フレームは、直立した位置および傾斜した位置を含む２つまたはそれ以上の位置の間を動くように、フレームに対して可動に装着される。
【００１５】
フレームは、本発明の第１の態様に係る上述の特徴のいかなる特徴も組み込み得る。シート支持部は、本発明の第１の態様に係る上述の特徴のいかなる特徴も備え得る。アセンブリは、トレイがシート部分とともに回動しないようなものであることが好ましい。可撓性のある材料も、フットレストに組み込み得る。
【００１６】
本発明の第３の態様によれば、小児用椅子アセンブリが提供され、当該小児用椅子アセンブリは、支持面上に載るフレームと、小児用シート用の支持を提供するシート支持部とを含み、フレームは、基部と脚部とを有し、脚部が、作動する形態と、基部と実質的に同一平面にあるかまたは基部と少なくとも実質的に平行である折り畳まれた形態と、の間を、選択的に動くように、脚部が基部に回動し得るように装着される。
【００１７】
シート支持部は、フレームと同一平面にあるか、または基部と少なくとも実質的に平行である折り畳まれた形態と、の間を選択的に動くように、フレームに回動し得るように装着されることが、好ましい。
【００１８】
したがって、小児用椅子アセンブリは、比較的平坦な形に畳むことができ、これによって、アセンブリの持ち運びおよび／または保管を行いやすくなる。平たく保管しやすくするために、シート支持部は、上述のように、椅子張りまたは布地シート用の支持部を提供し得る。さらに、小児用椅子アセンブリは、保管しやすいように取り外しまたは折り畳み得るトレイも含み得る。
【００１９】
各形態に小児用椅子アセンブリをロックするロック装置が、設けられることが好ましい。解除作動部も、種々の作動する形態と、折り畳まれた形態との間における動きを促進するために設け得る。本発明の第１の態様に係る上述の特徴のいかなる特徴も、本発明の第３の態様に組み込み得る。
【００２０】
本発明の第４の態様によれば、小児用椅子アセンブリが提供され、当該小児用椅子アセンブリは、支持面上に載るフレームと、シート支持部とを含み、フレームは、基部と、当該基部の一方の側から上方に延び基部上方において傾斜する脚部と、を有し、シート支持部は、シートを支持するように脚部に装着され、フレームの脚部は、シート支持部の高さを調節するように、長さを調節可能である。
【００２１】
本発明の第１の態様に係る上述の特徴のいかなる特徴も、本発明の第４の態様に組み込み得る。
【００２２】
別々にまたはまとめて、本願明細書において言及し示した部品、要素および特徴からなるように、また、部品、要素または特徴の任意の２つまたはそれ以上のもののいかなる組み合わせまたは全ての組み合わせからなるように、本発明を広く説明することもでき、また、本発明が関連する技術において知られている均等物がある特定の完全体（integers）を本明細書において述べる場合、このような既知の均等物は、ここに個別に説明したものとして、本明細書に組み込まれるものとする。
【００２３】
本発明は、これまでに述べたことにあり、以下の説明を例示的なものであるとする。
【００２４】
本発明をさらによく理解してもらうために、ここで、例として、図面を参照して、１つの実施形態を説明する。
【発明を実施するための最良の形態】
【００２５】
図１に、シート支持部１４を支持するフレーム１２を含む小児用椅子１０の主な構成要素を示す。シート支持部１４は、張り地１６からなる吊り下げ型シートを支持し、当該シートは、小児の体重を支えるように、適切なストラップまたは力布（図示せず）により支持され得る。後述するように、シート支持部１４は、傾斜解除作動部１８を使用することにより、フレーム１４に対する角度を調節可能である。
【００２６】
フレーム１２に連結されているのは、トレイアセンブリ２０である。トレイアセンブリ２０は、アーム２２およびトレイ上面２４を含む。トレイ上面２４は、アーム２２に対して矢印Ａで示す方向に摺動させ得る。アセンブリ２０は、トレイ上面２４およびアーム２２を含む全体を、トレイ分離解除作動部２６を使用することにより取り外し得る。
【００２７】
フレーム１２は、脚部２８および基部２９を含む。脚部２８は、後述するように、折り畳み解除作動部３０を使用することにより、基部２９に対して回動可能である。基部２９は、各角にキャスター３２を有する概ね四角形の周囲フレームの形態である。
【００２８】
脚部２８は、間隔をおいて配置された一対の脚形支柱３４からなり、当該脚形支柱３４は、基部と同じ側に、回動し得るように装着され、基部２９上方をある角度に傾斜して延びる。脚形支柱３４は、高さ調節解除作動部３６を使用することにより延長させ得る。
【００２９】
図２において、椅子張りシート１６の適切な形状が、さらによく分かる。図２および図３から、小児用椅子アセンブリ１０が長手方向の中心面において概ね対称であることが、理解されるだろう。各作動部１８、２６、３０は、アセンブリ１０の他方の側に対の片方を有し、その操作はそれぞれ片手で行う必要がある。これは、行い得る調節のいかなる調節も子供が行ってしまうという危険を最小限にする安全装置として機能する。
【００３０】
図２の背面図から、フレーム１２が構造上の安定化を図るためのクロスバー３８も含むことが分かる。
【００３１】
図４および図５に、シート支持部１４と、フレーム１２とを別々に示す。シート支持部１４は、フレーム１２に取り外し得るように装着され得る。シート支持部は、概ね四角形の周囲フレーム４０の形状である。周囲フレームの両側には、付属の差し込み部４４を有する傾斜調節ハウジング４２が設けられている。差し込み部４４は、図４に示す、各脚形支柱３４の開口端部４６内に受け入れられる。各傾斜調節ハウジング４２は、分離解除作動部４８も含み、当該分離解除作動部４８は、関連づけられる係合歯５１を、脚形支柱３４の関連づけられる上端の戻り止め（図示せず）と、係合するように移動させたり、係合を解除するように移動させたりする。よって、分離解除作動部４８を押し下げると、シート支持部１４が、フレーム１２との装着部から取り外される。シート支持部１４を取り外すために、両方の作動部４８をそれぞれ片手で押し下げる必要があるので、シート支持部が不用意に外れることが最小限になることが、理解されるだろう。
【００３２】
図６に、傾斜調節ハウジング４２の一方の構成要素を示す。傾斜調節ハウジングは、第２の部分５２に対して回動し得る第１の部分５０を含む。第１の部分５０は、一体化した第１の差し込み部５４を含む。別個の第２の差し込み部５６が第１の差し込み部５４に、それらの間に分離解除作動部４８を収容するように連結され得る。分離解除作動部４８は、２つの、差し込み部５４と差し込み部５６との間に回動可能に装着され、差し込み部ばね５８は、分離解除作動部４８を偏倚させて、ボタン部６０が、第１の差し込み部５４の孔６２から突出し、係合歯５１が、第２の差し込み部５６の孔６４から外側に偏倚される。
【００３３】
さらによく理解してもらうために図７を参照すると、傾斜調節ハウジング４２の第１の部分５０および第２の部分５２は、それらの間にはめば歯車６６が収容されるように概ね円筒形であることが分かる。ハウジングの両方の部分５０、５２は、内側の形状がはめば歯車６６と相補的であって、その結果、はめば歯車６６が両方の部分５０、５２と係合すると、両方の部分は、相互に固定した位置に保持されることになる。ハウジング部分５０、５２を、はめば歯車の歯６６の形状により決まるいくつかの異なる相対位置にし得る。さらに、第２の部分５２に対する第１の部分５０の回転を制限するように、止め部を設け得る。
【００３４】
はめば歯車のばね６８が、はめば歯車６６を第１の部分５０の方に偏倚させる。第１の部分５０には、アーチ形スロット（図示せず）を組み込んだ環状フランジ７０も設けられる。傾斜解除作動部１８は、垂下するアーチ形突起部７２を有する押しボタンの形状である。これらの突起部７２は、アーチ形のスロットを貫通する。傾斜解除作動部１８が押されると、突起部７２は、はめば歯車６６を相補的な内側の形との係合から押し出すように、はめば歯車６６に当接する。これによって、ハウジング部５０が、解放されて、ハウジング部５２に対してピボットピン７６の周りを回動する。これにより、シート支持部１４の周囲フレーム４０に対する、差し込み部４４の調節角度を調節し得る。差し込み部４４は、脚形支柱３４の開口端部４６内に受け入れられるので、よって、シート支持部１４の角度を調節し得る。調節を行うために、シート支持部の対向した側において傾斜解除作動部１８を押し込む必要があることが、理解されるだろう。本実施形態では、調節は、図１に示す食事を与える位置と、図８に示す傾斜した位置との間において行い得る。
【００３５】
図９および図１０に、トレイアセンブリ２０を形成する構成要素を示す。トレイアセンブリ２０は、間隔をおいて配置された一対のアーム２２を含み、当該アーム２２は、トレイ上面２４とトレイ基部８０とに実質的に囲まれる。各アーム２２は、トレイアームハウジング８２と、部分支持プレート８４とからなる。プレート８４は、間隔をおいて配置された一対の支持部８６を含み、当該支持部８６上に、間隔をおいて配置された一対のピボットピン８８を有するトレイ分離解除作動部２６が、装着される。解除作動部２６の一方の端部には、押し下げ得るボタン部９０が設けられる。解除作動部２６の他方の端部は、ばね（図示せず）によりトレイアームハウジング８２から遠ざかるように偏倚されて、その結果、ボタン部９０は、トレイアームハウジング８２の関連づけられる孔９２を貫通する。
【００３６】
図５に戻ると、各傾斜調節ハウジング４２が、トレイアーム２２の後方端部を受け入れるように前方に延びる受容部９４を含むことが分かる。受容部９４は、トレイ分離解除作動部２６のボタン部９０を受け入れる孔９８も含む。ボタン部９０が押し下げられると、ボタン部９０は、孔９８との係合を外れて、トレイアームを、関連づけられる受容部９４から解放することになる。トレイ分離解除作動部２６のボタン部９０は、受容部９４との係合からトレイアセンブリ２０を解放するように、トレイアセンブリ２０の両側において押し下げる必要があることが、理解されるだろう。このように、トレイアセンブリ２０は、トレイアーム２２とともに取り外される。図７を再度見ると、受容部９４が、傾斜調節ハウジング４２の第１の部分５０の一部分を形成し、これは、差し込み部４４によりフレーム１２に固定される部分であることが分かる。よって、受容部９４は、シート支持部１４とともに回動はしないので、シート支持部１４が図８に示すように傾斜しているときでさえ、トレイアセンブリ２０とトレイ上面２４とは、実質的に同じ高さの形のままになる。
【００３７】
トレイ上面２４とトレイ基部８０とは、トレイアーム２２に対して摺動可能である。図１０に示すように、トレイ調節機構１００は、フィンガースロット１０４がＹ字形の底に配置された、Ｙ字形連接部１０２を含む。フィンガースロット１０４には、トレイ基部８０の孔１０６からアクセスし得る。ホームポジションでは、フィンガースロット１０４は、シートに最も近い孔１０６の内側の端部に配置される。Ｙ字形の連接部１０２は、トレイ上面２４と一体化したピン１０８により決定される摺動動作をスロット１０７が導くことで、摺動動作をするように適合される。間隔をおいて配置された一対のばね１１０は、矢印Ｂにより示すように、Ｙ字形連接部１０２をホームポジションに偏倚させる。
【００３８】
Ｙ字形連接部１０２の各端部は、各くの字形連接部１１２に、回動するように連結され、当該くの字形連接部１１２は、ピボット１１４周りに、回動するように装着される。各くの字形連接部１１２は、ばね１１６により矢印Ｃの方向に偏倚する。くの字形連接部１１２は、それぞれ、関連づけられるトレイアームハウジング８２のスロット１２０内に受け入れられる舌状部１１８を有する。ここに図示していないが、スロット１２０は、その長さに沿った一連の戻り止めを含み、舌状部１１８は、戻り止めの１つに選択的に配置され得る。したがって、トレイ上面２４とアーム２２との相対位置を調節するためには、使用者は、フィンガースロット１０４によりＹ字形連接部１０２を引っぱることによって、調節機構１００を作動させる。矢印Ｂと反対方向への動きによって、各くの字形連接部１１２が、関連づけられるピボット１１４周りを回転して、舌状部１１８が、スロット１２０から引き出される。よって、トレイ基部８０とともにトレイ上面２４を、一連の相対位置の１つの選択された位置に移動させ得る。
【００３９】
図９に示すように、２本の連接アーム１２２が、トレイアームが平行四辺形の形に移動することを妨げるように、２つのトレイアームハウジング８４同士の間を延びる。
【００４０】
図１１および図１２に、図１３に示すように脚部２８に対して基部２９が折り畳まれる折り畳み機構１３０の構成要素を示す。小児用椅子の各側には、図１１に示す折り畳み機構１３０が設けられている。折り畳み機構１３０は、基部２９を形成する四角形の周囲フレームの２つの前方の角に組み込まれる。機構１３０は、はめば歯車ハウジングの第１の部分１３２および第２の部分１３４を含み、はめば歯車ハウジングは、はめば歯車１３６を収容し、はめば歯車１３６は、はめば歯車のばね１３８により、第１の部分１３２の方へ偏倚される。折り畳み解除作動部３０は、間隔をおいて配置された２つのアーチ形突起部１４０を含み、当該突起部１４０は、図１２において最もよく分かるように、はめば歯車ハウジングの第１の部分１３２のアーチ形凹所１４２を通って突出する。はめば歯車ハウジングの２つの部分１３２、１３４は、歯状突起付きはめば歯車１３６が摺動し得るスピンドル部分１４２、１４４を画定する。
【００４１】
折り畳み解除作動部３０が押し下げられると、アーチ形突起部１４０は、歯状突起部付きはめば歯車を、はめば歯車ハウジングの第２の部分１３４内に押し込んで、第１の部分１３２の相補的形状の凹所との係合を解除するように押し出す。これにより、第２の部分１３４は、第１の部分１３２に対して回転可能になる。図１３において、フレームの脚部２８が、第２の部分１３４の装着用差し込み部１４５内に受け入れられることが分かる。同様に、基部２９は、はめば歯車ハウジングの第１の部分に一体的に連結される装着用差し込み部１４６内に受け入れられる。したがって、折り畳み解除作動部３０を押し下げると、脚部２８は、基部２９に対して回転可能になる。はめば歯車１３６の構成によって、脚部２８は、一連の相対的配置のいかなる位置も取り入れ得る。止め部を、相対的回転の程度を制限するように設け得る。図１３では、脚部および基部は、完全に折り畳まれて、相互に実質的に平行になって小型化した形態になる。
【００４２】
はめば歯車１３６を、１８０°に配置された２つの歯を備える構成にすると、作動する形態の脚部２８および基部２９がロックされる位置が１つのみになることが分かる。よって、フレームは、折り畳まれた形態ではロックされないことになる。シート支持部１４はまた、フレーム１２に対して折り畳まれた位置にされる場合があり、当該位置において、シート支持部１４は、フレーム１２と実質的に平行かまたは同一平面に位置する。図１４では、トレイアセンブリ２０は、取り外されている。シート１６が可撓性のある材料から形成される場合、トレイアセンブリ２０を取り外して小児用椅子１０を折り畳んだ形態は、実質的に平坦であることがわかる。図１５に、理解しやすいように、シート１６を取り外した小児用椅子を示す。
【００４３】
図１６は、フレーム１２から取り外したシート部１４を示す後方斜視図である。各傾斜調節ハウジング４２は、回動後脚部１５２用の回転装着部１５０を含む。回動後脚部１５２は、Ｕ字形フレームの形であり、各端部が、各回転装着部１５０に取り付けられる。回動脚部１５２は、所定位置でロックされる、図１７に示す位置に回転可能である。図１７に示す形態において、シート部１４は、地面などの支持面に自立し得る。
【００４４】
図１８に、シート支持部を前方から示す。図１９において、小児用椅子１０を組み立てた形態で、シート部１４が、フレーム１２上を低い位置に移動されていることが分かる。これは、高さ調節解除作動部３６を使用することにより、行われる。
【００４５】
図２１および図２２に、各高さ調節機構１６０の構成要素を、図２１では外側から、図２２では内側から示す。各脚形支柱３４は、入れ子式であり、外側部１６２および内側部１６４を含む。内側部１６４は、内側に長手方向の凹所１６６を有し、当該凹所１６６は、戻り止めを有する長いラック１６８を受け入れる。ラック１６８とともに組み立てられる内側部１６４は、外側部１６２内を摺動可能である。
【００４６】
高さ調節機構１６０は、外側ハウジング部１７０と内側ハウジング部１７２とを含み、当該ハウジング部は、外側部１６２の周りの囲いを形成する。囲い内に受け入れられるのは、高さ調節解除作動部３６と、支持プレート１７６とである。各支持プレート１７６および内側ハウジング１７４は、支持凹所１７４を有し、当該支持凹所１７４は、ともに、高さ調節解除作動部３６用の支持部を定める。解除作動部３６は、支持部内に受け入れられるピボットピン１７８を有する。ばね１８０が、図２２に示すように、ばね差し込み部１８２に装着される。
【００４７】
図２２にさらに示すように、外側部１６２は、支持プレート１７６の外側に配置された位置決めタブ１８６用の位置決めスロット１８４を有する。ハウジング部１７０、１７２が外側部１６２の周りに組み立てられると、位置決めタブ１８６は、外側部１６２に対する支持プレート１７６の位置を定める。同様に、外側ハウジング部１７０の内側の面の位置決めタブ１８８は、外側ハウジング部１７０の位置を定めるように、外側部１６２の外側の面の位置決めスロット１９０内に受け入れられる。
【００４８】
支持プレート１７６と、外側部１６２の内側の面とは、解除作動部のつめ１９３が延びる、位置合わせされた孔１９０、１９２を有する。つめ１９３は、ばね１８０が解除作動部の下側に作用することにより、通常偏倚されて孔１９０、１９２を延びる。つめ１９３は、ラック１６８に設けられた一連の戻り止めの１つに係合する。よって、高さ調節機構を作動させるために、使用者は、つめ１９３と反対側の解除作動部の端部を押し下げることにより、つめ１９３とラック１６８との係合を解除する。ハウジング部１７０、１７２を把持することにより、使用者は、脚形支柱３４の内側部１６４に対して外側部１６２を引き上げ得る。フレーム１２の高さ調節のために、それぞれの手で解除作動部３６を押し下げる必要があることが、理解されるだろう。これによって、高さ調節機構が不用意に作動することが妨げられる。図２２から分かるように、止め部１９４が、内側部１６４の端部に受け入れられ、内側部１６４が高さ調節機構１６０を超えて外側部１６２から引き出されることを妨げる。
【００４９】
本発明の実施形態を一つしか説明していないが、本発明の範囲を逸脱せずに変更を行い得る。
【図面の簡単な説明】
【００５０】
【図１】本発明の好ましい実施形態に係る小児用椅子の上からの斜視図である。
【図２】図１の小児用椅子の後からの斜視図である。
【図３】図１の小児用椅子の側面図である。
【図４】本小児用椅子の一部分を形成するフレームの斜視図である。
【図５】シートおよびトレイアセンブリのない、図４のフレームから取り外し可能なシート支持部の図である。
【図６】図５のシート支持部の分解図である。
【図７】図６の部品のいくつかの詳細な分解図である。
【図８】フレームに対するシート支持部の傾斜を示す斜視図である。
【図９】トレイアセンブリの分解図である。
【図１０】図９に示す部品の下側からの分解図である。
【図１１】図４のフレームの一部分の分解図である。
【図１２】図１１の部品を別の向きで示した分解図である。
【図１３】フレームの基部を折り畳んだ様子を示す斜視図である。
【図１４】フレームの部分およびシート支持部を保管用の実質的に平坦な形態にした様子を示す斜視図である。
【図１５】簡略化のためシートを取り外したこと以外は、図１４に示したものと同様の斜視図である。
【図１６】トレイアセンブリを取り外して、フレームから取り外したシート部分の、後からの斜視図である。
【図１７】自立した形態の図１６のシート支持部の図である。
【図１８】図１７のシート支持部の前からの斜視図である。
【図１９】低い位置に下げた形態の小児用椅子を示す斜視図である。
【図２０】トレイを突き出した位置にしたこと以外は、図１９と同様の図である。
【図２１】高さ調節を促進する構成要素の分解図である。
【図２２】図２１に示した構成要素のさらに詳細な図である。
【図１】
2008541956.tif 000003
【図２】
2008541956.tif 000004
【図３】
2008541956.tif 000005
【図４】
2008541956.tif 000006
【図５】
2008541956.tif 000007
【図６】
2008541956.tif 000008
【図７】
2008541956.tif 000009
【図８】
2008541956.tif 000010
【図９】
2008541956.tif 000011
【図１０】
2008541956.tif 000012
【図１１】
2008541956.tif 000013
【図１２】
2008541956.tif 000014
【図１３】
2008541956.tif 000015
【図１４】
2008541956.tif 000016
【図１５】
2008541956.tif 000017
【図１６】
2008541956.tif 000018
【図１７】
2008541956.tif 000019
【図１８】
2008541956.tif 000020
【図１９】
2008541956.tif 000021
【図２０】
2008541956.tif 000022
【図２１】
2008541956.tif 000023
【図２２】
2008541956.tif 000024
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
支持面上に載る支持フレームと、
可撓性のある材料からなるシートおよび背もたれを支持する周囲フレームの形態のシート支持部であって、前記シートおよび背もたれは、前記周囲フレームで支持され、当該周囲フレームは、直立した位置および傾斜した位置を含む２つまたはそれ以上の位置の間を選択的に動くように、前記支持フレームに対して可動に装着される、シート支持部と、
を含む、小児用椅子アセンブリ。
【請求項２】
前記小児用椅子アセンブリには、前記シート支持部に装着されるトレイが設けられ、当該トレイは、前記２つまたはそれ以上の位置の間に前記周囲フレームを動かしている間、水平な位置を保つ請求項１に記載の小児用椅子アセンブリ。
【請求項３】
前記シート支持部と前記支持フレームとは、前記支持フレームに対する前記シート支持部の傾き動作を促進する１つまたはそれ以上の解除作動部によりはめ合わされ、当該１つまたはそれ以上の解除作動部の作動は、両方の手で行う必要がある請求項１または２に記載の小児用椅子アセンブリ。
【請求項４】
前記フレームまたはシート支持部の、間隔をおいた２つの位置に、作動部が設けられて、各孔の作動は、両方の手で行う必要がある請求項３に記載の小児用椅子アセンブリ。
【請求項５】
前記可撓性のある材料は、フットレストを組み込む請求項１から４のいずれかに記載の小児用椅子アセンブリ。
【請求項６】
前記シート支持部の２つまたはそれ以上の位置は、前記シート支持部が前記支持フレームと実質的に同一平面にあるかまたは前記支持フレームと少なくとも実質的に平行である折り畳まれた形態を含む請求項１から５のいずれかに記載の小児用椅子アセンブリ。
【請求項７】
前記支持フレームは、基部と脚部とを有し、当該脚部は、作動する形態と、前記脚部が前記基部と実質的に同一平面にあるかまたは前記基部と少なくとも実質的に平行である折り畳まれた形態と、の間を選択的に動くように、前記基部に回動し得るように装着される請求項６に記載の小児用椅子アセンブリ。
【請求項８】
前記支持フレームは、カンチレバー式の形状であって、前記脚部は、前記基部の一方の側から上方に延びバランスをとるために前記基部上方において傾斜し、前記シート支持部の高さ調節を行うように延長可能である請求項１から７のいずれかに記載の小児用椅子アセンブリ。
【請求項９】
シート支持部は、前記支持フレームに取り外し得るように装着されて、前記支持フレームから選択的に取り外されるとき前記支持面上に自立するように適合される請求項１から８のいずれかに記載の小児用椅子アセンブリ。
【請求項１０】
前記シート支持部は、前記周囲フレームに回動するように装着された支持脚部を含み、当該支持脚部は、非作動位置から作動位置に可動である請求項９に記載の小児用椅子アセンブリ。
【請求項１１】
前記トレイは、シート支持部により支えられ、当該トレイは、前記支持フレームから取り外すときに、前記シート支持部とともに取り外される、請求項２に従属する請求項３、５、６、８、９のいずれかに記載の小児用椅子アセンブリ。
【請求項１２】
前記トレイは、保管を行いやすくするように、前記シート支持部から選択的に取り外し可能である請求項１１に記載の小児用椅子アセンブリ。
【請求項１３】
前記シート支持部と前記支持フレームとは、係合を解除する１つまたはそれ以上の解除作動部によりはめ合わされ、前記１つまたはそれ以上の解除作動部の作動を両方の手で行う必要がある請求項９から１２のいずれかに記載の小児用椅子アセンブリ。
【請求項１４】
前記支持フレームまたはシート支持部の、間隔をおいた２つの位置に、ラッチが設けられて、各ラッチの作動を両方の手で行う必要がある請求項１３に記載の小児用椅子アセンブリ。
【請求項１５】
支持面上に載るフレームであって、基部と、当該基部の一方の側から上方に延び前記基部上方において傾斜する脚部とを有するフレームと、
シートを支持するように前記脚部に装着されたシート支持部であって、前記フレームの脚部は、前記シート支持部の高さを調節するように長さを調節可能である、シート支持部と、
を含む、小児用椅子アセンブリ
【請求項１６】
前記脚部は、前記シート支持部の各側をそれぞれ支持する２本の脚形支柱を含む請求項１５に記載の小児用椅子アセンブリ。
【請求項１７】
前記脚部は、保管する形態に折り畳むために前記基部に対して回動し得る請求項１５または１６に記載の小児用椅子アセンブリ。
【手続補正２】
【補正対象書類名】明細書
【補正対象項目名】全文
【補正方法】変更
【補正の内容】
【書類名】      明細書
【発明の名称】調節可能な小児用椅子
【技術分野】
【０００１】
本発明は、大人が小児に食事を与えやすい高さにし得る小児用椅子アセンブリに関する。特に、限定はしないが、本発明は、特に小児が、特に地面に近い高さを含めて、種々の高さの範囲に置かれるように適合される。本発明の別の特定の特徴は、本発明をその特徴に限定はしないが、小児用椅子アセンブリを、特に保管に適する形態に折り畳みやすいという特徴である。
【背景技術】
【０００２】
知られている小児用椅子の一形態は、小児用椅子のシート部を支持するＡ字形フレームに構成されている。このような小児用椅子では、小児用椅子を、高さ調節し、かつ保管のためにいくらか小型になるように調節することができる。しかしながら、このような小児用椅子は、特に小型に畳むまたは折り畳むことができないので、比較的広い保管場所が必要である。既知の小児用椅子は、平坦なパックの形で販売されていることが多く、部品同士をカチッと留め合わせることによって組み立てる。しかしながら、これらの小児用椅子は、小型にして保管しやすくするために分解するのは容易ではない。さらに、最も知られている小児用椅子は、剛性のあるシート部を有し、当該シート部は、さらに保管の形態を嵩高くする。
【０００３】
よって、本発明の目的は、上記欠点の少なくともいくつかに対処し、または有用な選択の機会を一般の人々に提供する小児用椅子アセンブリを提供することである。
【０００４】
前出の先行技術の説明は、共通の一般的知識とみなすべきではない。
【発明の開示】
【課題を解決するための手段】
【０００５】
本発明の第１の態様によれば、小児用椅子アセンブリが提供され、当該小児用椅子アセンブリは、
支持面上に載る支持フレームと、
可撓性のある材料からなるシートおよび背もたれを支持する周囲フレームの形態のシート支持部であって、シートおよび背もたれは、周囲フレームで支持され、当該周囲フレームは、直立した位置および傾斜した位置を含む２つまたはそれ以上の位置の間を選択的に動くように、支持フレームに対して可動に装着される、シート支持部と、
を含む。
【０００６】
支持フレームは、支持面と係合するいくつかの脚部を含み得る。一代替実施形態では、支持フレームは、台座型の構造を含み得る。しかしながら、本発明の最も好ましい形態では、支持フレームは、基部および脚部を含むカンチレバー式の構造である。基部は、四角形の基部フレームを画定するフレーム部材を含み得る。脚部は、基部の一方の側から上方に延び、バランスをとるために基部上方において傾斜することが好ましい。シート支持部の各側をそれぞれ支持する脚形支柱が存在し得る。支持フレームは、中空の複数の金属部分から形成することができ、当該中空の複数の金属部分は、プラスチック成形された取り付け部品により嵌め合わされ、これによって、プラスチック成形された取り付け部品により、相対的な調節が可能になる。例えば、脚部は、保管する形態に折り畳むように、基部に対して回動させ得る。
【０００７】
したがって、小児用椅子アセンブリは、比較的平らな形に畳むことができ、これにより、これによって、アセンブリの持ち運びおよび／または保管を行いやすくなる。平たく保管しやすくするために、シート支持部は、上述のように、椅子張りまたは布地シート用の支持部を提供し得る。さらに、小児用椅子アセンブリは、保管しやすいように取り外しまたは折り畳み得るトレイも含み得る。
【０００８】
支持フレームは、高さ調節を行い得るようにシート支持部を支持し得る。これは、脚部を延ばし得ることにより行うことができる。例えば、脚部の２本の脚形支柱は、入れ子式であり、複数の位置に調節され得る。脚形支柱を所定の位置にロックする１つまたはそれ以上のロック装置を設けることができ、ロック装置は、ロック装置を選択的に解除する１つまたはそれ以上の解除作動部を有する。
【０００９】
シート支持部は、フレームに取り外し得るように装着され、支持フレームから選択的に取り外されるとき、支持面に自立するように適合され得る。
【００１０】
支持フレームとシート支持部とを解放可能に装着することは、支持フレームとシート支持部とに、相互に係合する部分を備えることにより行い得る。例えば、シート支持部に、フレームの相補的な凹所と係合するように間隔をおいて配置された一対の突起部を、備えることができる。さらに詳細には、フレームは、突起部が受け入れられる中空の押し出し成形品を含み得る。代替構成では、各支持フレームおよびシート支持部に、相補的な取り付け部品を設け得る。
【００１１】
解放可能な装着には、シート支持部が不用意に支持フレームから外れないように安全を確保するための特徴を設けることが好ましい。このようなものとして、シート支持部と支持フレームとが、係合を解除し得る１つまたはそれ以上の解除作動部によりロックされる。１つまたはそれ以上の解除作動部の作動を両手で行う必要があることが、好ましい。したがって、ラッチを、フレームまたはシート支持部の、間隔をおいた２つの位置に設けて、各ラッチの作動を両手で行う必要が生じるようにできる。ラッチは、その都度、押しボタンで作動させ得る。
【００１２】
ロック装置を、種々の位置の各位置に各シート支持部をロックするために設け、また、解除作動部を、１つの位置から別の位置への動きを促進するように設け得る。
【００１３】
本発明を上に説明したように、シート支持部は、支持面上において直立位置または傾斜位置にシートを支持するという点で、自立可能である。シート支持部は、支持フレームから取り外すと、支持面上に自立するように予め適合させ得る。あるいは、シート支持部には、支持面上に自立させるための調節が必要な場合がある。例えば、支持脚部を、非作動位置から作動位置へ動かし得る。シート支持部は、支持用の脚形フレームが回動し得るように装着されたシートフレームを含み得ることが、最も好ましい。１つまたはそれ以上のロック装置および／または解除作動部を、回動する脚形フレームを動かすために設け得る。
【００１４】
シートは、重量を支えるストラップを有する布地または生地からなる場合がある。
【００１５】
小児用椅子アセンブリには、トレイを設ける場合がある。トレイは、シート支持部により支持され、フレームから取り外されるときシート支持部とともに取り外されることが好ましい。
【００１６】
アセンブリは、トレイがシート部とともに回動しないようなものであることが、好ましい。可撓性のある材料はまた、フットレストを組み込み得る。
【００１７】
本発明の第２の態様によれば、小児用椅子アセンブリが提供され、当該小児用椅子アセンブリは、支持面上に載るフレームと、シート支持部とを含み、フレームは、基部と、当該基部の一方の側から上方に延び基部上方において傾斜する脚部と、を有し、シート支持部は、シートを支持するように脚部に装着され、フレームの脚部は、シート支持部の高さを調節するように、長さを調節可能である。
【００１８】
本発明の第１の態様に係る上述の特徴のいかなる特徴も、本発明の第４の態様に組み込み得る。
【００１９】
別々にまたはまとめて、本願明細書において言及し示した部品、要素および特徴からなるように、また、部品、要素または特徴の任意の２つまたはそれ以上のもののいかなる組み合わせまたは全ての組み合わせからなるように、本発明を広く説明することもでき、また、本発明が関連する技術において知られている均等物がある特定の完全体（integers）を本明細書において述べる場合、このような既知の均等物は、ここに個別に説明したものとして、本明細書に組み込まれるものとする。
【００２０】
本発明は、これまでに述べたことにあり、以下の説明を例示的なものであるとする。
【００２１】
本発明をさらによく理解してもらうために、ここで、例として、図面を参照して、１つの実施形態を説明する。
【発明を実施するための最良の形態】
【００２２】
図１に、シート支持部１４を支持するフレーム１２を含む小児用椅子１０の主な構成要素を示す。シート支持部１４は、張り地１６からなる吊り下げ型シートを支持し、当該シートは、小児の体重を支えるように、適切なストラップまたは力布（図示せず）により支持され得る。後述するように、シート支持部１４は、傾斜解除作動部１８を使用することにより、フレーム１４に対する角度を調節可能である。
【００２３】
フレーム１２に連結されているのは、トレイアセンブリ２０である。トレイアセンブリ２０は、アーム２２およびトレイ上面２４を含む。トレイ上面２４は、アーム２２に対して矢印Ａで示す方向に摺動させ得る。アセンブリ２０は、トレイ上面２４およびアーム２２を含む全体を、トレイ分離解除作動部２６を使用することにより取り外し得る。
【００２４】
フレーム１２は、脚部２８および基部２９を含む。脚部２８は、後述するように、折り畳み解除作動部３０を使用することにより、基部２９に対して回動可能である。基部２９は、各角にキャスター３２を有する概ね四角形の周囲フレームの形態である。
【００２５】
脚部２８は、間隔をおいて配置された一対の脚形支柱３４からなり、当該脚形支柱３４は、基部と同じ側に、回動し得るように装着され、基部２９上方をある角度に傾斜して延びる。脚形支柱３４は、高さ調節解除作動部３６を使用することにより延長させ得る。
【００２６】
図２において、椅子張りシート１６の適切な形状が、さらによく分かる。図２および図３から、小児用椅子アセンブリ１０が長手方向の中心面において概ね対称であることが、理解されるだろう。各作動部１８、２６、３０は、アセンブリ１０の他方の側に対の片方を有し、その操作はそれぞれ片手で行う必要がある。これは、行い得る調節のいかなる調節も子供が行ってしまうという危険を最小限にする安全装置として機能する。
【００２７】
図２の背面図から、フレーム１２が構造上の安定化を図るためのクロスバー３８も含むことが分かる。
【００２８】
図４および図５に、シート支持部１４と、フレーム１２とを別々に示す。シート支持部１４は、フレーム１２に取り外し得るように装着され得る。シート支持部は、概ね四角形の周囲フレーム４０の形状である。周囲フレームの両側には、付属の差し込み部４４を有する傾斜調節ハウジング４２が設けられている。差し込み部４４は、図４に示す、各脚形支柱３４の開口端部４６内に受け入れられる。各傾斜調節ハウジング４２は、分離解除作動部４８も含み、当該分離解除作動部４８は、関連づけられる係合歯５１を、脚形支柱３４の関連づけられる上端の戻り止め（図示せず）と、係合するように移動させたり、係合を解除するように移動させたりする。よって、分離解除作動部４８を押し下げると、シート支持部１４が、フレーム１２との装着部から取り外される。シート支持部１４を取り外すために、両方の作動部４８をそれぞれ片手で押し下げる必要があるので、シート支持部が不用意に外れることが最小限になることが、理解されるだろう。
【００２９】
図６に、傾斜調節ハウジング４２の一方の構成要素を示す。傾斜調節ハウジングは、第２の部分５２に対して回動し得る第１の部分５０を含む。第１の部分５０は、一体化した第１の差し込み部５４を含む。別個の第２の差し込み部５６が第１の差し込み部５４に、それらの間に分離解除作動部４８を収容するように連結され得る。分離解除作動部４８は、２つの、差し込み部５４と差し込み部５６との間に回動可能に装着され、差し込み部ばね５８は、分離解除作動部４８を偏倚させて、ボタン部６０が、第１の差し込み部５４の孔６２から突出し、係合歯５１が、第２の差し込み部５６の孔６４から外側に偏倚される。
【００３０】
さらによく理解してもらうために図７を参照すると、傾斜調節ハウジング４２の第１の部分５０および第２の部分５２は、それらの間にはめば歯車６６が収容されるように概ね円筒形であることが分かる。ハウジングの両方の部分５０、５２は、内側の形状がはめば歯車６６と相補的であって、その結果、はめば歯車６６が両方の部分５０、５２と係合すると、両方の部分は、相互に固定した位置に保持されることになる。ハウジング部分５０、５２を、はめば歯車の歯６６の形状により決まるいくつかの異なる相対位置にし得る。さらに、第２の部分５２に対する第１の部分５０の回転を制限するように、止め部を設け得る。
【００３１】
はめば歯車のばね６８が、はめば歯車６６を第１の部分５０の方に偏倚させる。第１の部分５０には、アーチ形スロット（図示せず）を組み込んだ環状フランジ７０も設けられる。傾斜解除作動部１８は、垂下するアーチ形突起部７２を有する押しボタンの形状である。これらの突起部７２は、アーチ形のスロットを貫通する。傾斜解除作動部１８が押されると、突起部７２は、はめば歯車６６を相補的な内側の形との係合から押し出すように、はめば歯車６６に当接する。これによって、ハウジング部５０が、解放されて、ハウジング部５２に対してピボットピン７６の周りを回動する。これにより、シート支持部１４の周囲フレーム４０に対する、差し込み部４４の調節角度を調節し得る。差し込み部４４は、脚形支柱３４の開口端部４６内に受け入れられるので、よって、シート支持部１４の角度を調節し得る。調節を行うために、シート支持部の対向した側において傾斜解除作動部１８を押し込む必要があることが、理解されるだろう。本実施形態では、調節は、図１に示す食事を与える位置と、図８に示す傾斜した位置との間において行い得る。
【００３２】
図９および図１０に、トレイアセンブリ２０を形成する構成要素を示す。トレイアセンブリ２０は、間隔をおいて配置された一対のアーム２２を含み、当該アーム２２は、トレイ上面２４とトレイ基部８０とに実質的に囲まれる。各アーム２２は、トレイアームハウジング８２と、部分支持プレート８４とからなる。プレート８４は、間隔をおいて配置された一対の支持部８６を含み、当該支持部８６上に、間隔をおいて配置された一対のピボットピン８８を有するトレイ分離解除作動部２６が、装着される。解除作動部２６の一方の端部には、押し下げ得るボタン部９０が設けられる。解除作動部２６の他方の端部は、ばね（図示せず）によりトレイアームハウジング８２から遠ざかるように偏倚されて、その結果、ボタン部９０は、トレイアームハウジング８２の関連づけられる孔９２を貫通する。
【００３３】
図５に戻ると、各傾斜調節ハウジング４２が、トレイアーム２２の後方端部を受け入れるように前方に延びる受容部９４を含むことが分かる。受容部９４は、トレイ分離解除作動部２６のボタン部９０を受け入れる孔９８も含む。ボタン部９０が押し下げられると、ボタン部９０は、孔９８との係合を外れて、トレイアームを、関連づけられる受容部９４から解放することになる。トレイ分離解除作動部２６のボタン部９０は、受容部９４との係合からトレイアセンブリ２０を解放するように、トレイアセンブリ２０の両側において押し下げる必要があることが、理解されるだろう。このように、トレイアセンブリ２０は、トレイアーム２２とともに取り外される。図７を再度見ると、受容部９４が、傾斜調節ハウジング４２の第１の部分５０の一部分を形成し、これは、差し込み部４４によりフレーム１２に固定される部分であることが分かる。よって、受容部９４は、シート支持部１４とともに回動はしないので、シート支持部１４が図８に示すように傾斜しているときでさえ、トレイアセンブリ２０とトレイ上面２４とは、実質的に同じ高さの形のままになる。
【００３４】
トレイ上面２４とトレイ基部８０とは、トレイアーム２２に対して摺動可能である。図１０に示すように、トレイ調節機構１００は、フィンガースロット１０４がＹ字形の底に配置された、Ｙ字形連接部１０２を含む。フィンガースロット１０４には、トレイ基部８０の孔１０６からアクセスし得る。ホームポジションでは、フィンガースロット１０４は、シートに最も近い孔１０６の内側の端部に配置される。Ｙ字形の連接部１０２は、トレイ上面２４と一体化したピン１０８により決定される摺動動作をスロット１０７が導くことで、摺動動作をするように適合される。間隔をおいて配置された一対のばね１１０は、矢印Ｂにより示すように、Ｙ字形連接部１０２をホームポジションに偏倚させる。
【００３５】
Ｙ字形連接部１０２の各端部は、各くの字形連接部１１２に、回動するように連結され、当該くの字形連接部１１２は、ピボット１１４周りに、回動するように装着される。各くの字形連接部１１２は、ばね１１６により矢印Ｃの方向に偏倚する。くの字形連接部１１２は、それぞれ、関連づけられるトレイアームハウジング８２のスロット１２０内に受け入れられる舌状部１１８を有する。ここに図示していないが、スロット１２０は、その長さに沿った一連の戻り止めを含み、舌状部１１８は、戻り止めの１つに選択的に配置され得る。したがって、トレイ上面２４とアーム２２との相対位置を調節するためには、使用者は、フィンガースロット１０４によりＹ字形連接部１０２を引っぱることによって、調節機構１００を作動させる。矢印Ｂと反対方向への動きによって、各くの字形連接部１１２が、関連づけられるピボット１１４周りを回転して、舌状部１１８が、スロット１２０から引き出される。よって、トレイ基部８０とともにトレイ上面２４を、一連の相対位置の１つの選択された位置に移動させ得る。
【００３６】
図９に示すように、２本の連接アーム１２２が、トレイアームが平行四辺形の形に移動することを妨げるように、２つのトレイアームハウジング８４同士の間を延びる。
【００３７】
図１１および図１２に、図１３に示すように脚部２８に対して基部２９が折り畳まれる折り畳み機構１３０の構成要素を示す。小児用椅子の各側には、図１１に示す折り畳み機構１３０が設けられている。折り畳み機構１３０は、基部２９を形成する四角形の周囲フレームの２つの前方の角に組み込まれる。機構１３０は、はめば歯車ハウジングの第１の部分１３２および第２の部分１３４を含み、はめば歯車ハウジングは、はめば歯車１３６を収容し、はめば歯車１３６は、はめば歯車のばね１３８により、第１の部分１３２の方へ偏倚される。折り畳み解除作動部３０は、間隔をおいて配置された２つのアーチ形突起部１４０を含み、当該突起部１４０は、図１２において最もよく分かるように、はめば歯車ハウジングの第１の部分１３２のアーチ形凹所１４２を通って突出する。はめば歯車ハウジングの２つの部分１３２、１３４は、歯状突起付きはめば歯車１３６が摺動し得るスピンドル部分１４２、１４４を画定する。
【００３８】
折り畳み解除作動部３０が押し下げられると、アーチ形突起部１４０は、歯状突起部付きはめば歯車を、はめば歯車ハウジングの第２の部分１３４内に押し込んで、第１の部分１３２の相補的形状の凹所との係合を解除するように押し出す。これにより、第２の部分１３４は、第１の部分１３２に対して回転可能になる。図１３において、フレームの脚部２８が、第２の部分１３４の装着用差し込み部１４５内に受け入れられることが分かる。同様に、基部２９は、はめば歯車ハウジングの第１の部分に一体的に連結される装着用差し込み部１４６内に受け入れられる。したがって、折り畳み解除作動部３０を押し下げると、脚部２８は、基部２９に対して回転可能になる。はめば歯車１３６の構成によって、脚部２８は、一連の相対的配置のいかなる位置も取り入れ得る。止め部を、相対的回転の程度を制限するように設け得る。図１３では、脚部および基部は、完全に折り畳まれて、相互に実質的に平行になって小型化した形態になる。
【００３９】
はめば歯車１３６を、１８０°に配置された２つの歯を備える構成にすると、作動する形態の脚部２８および基部２９がロックされる位置が１つのみになることが分かる。よって、フレームは、折り畳まれた形態ではロックされないことになる。シート支持部１４はまた、フレーム１２に対して折り畳まれた位置にされる場合があり、当該位置において、シート支持部１４は、フレーム１２と実質的に平行かまたは同一平面に位置する。図１４では、トレイアセンブリ２０は、取り外されている。シート１６が可撓性のある材料から形成される場合、トレイアセンブリ２０を取り外して小児用椅子１０を折り畳んだ形態は、実質的に平坦であることがわかる。図１５に、理解しやすいように、シート１６を取り外した小児用椅子を示す。
【００４０】
図１６は、フレーム１２から取り外したシート部１４を示す後方斜視図である。各傾斜調節ハウジング４２は、回動後脚部１５２用の回転装着部１５０を含む。回動後脚部１５２は、Ｕ字形フレームの形であり、各端部が、各回転装着部１５０に取り付けられる。回動脚部１５２は、所定位置でロックされる、図１７に示す位置に回転可能である。図１７に示す形態において、シート部１４は、地面などの支持面に自立し得る。
【００４１】
図１８に、シート支持部を前方から示す。図１９において、小児用椅子１０を組み立てた形態で、シート部１４が、フレーム１２上を低い位置に移動されていることが分かる。これは、高さ調節解除作動部３６を使用することにより、行われる。
【００４２】
図２１および図２２に、各高さ調節機構１６０の構成要素を、図２１では外側から、図２２では内側から示す。各脚形支柱３４は、入れ子式であり、外側部１６２および内側部１６４を含む。内側部１６４は、内側に長手方向の凹所１６６を有し、当該凹所１６６は、戻り止めを有する長いラック１６８を受け入れる。ラック１６８とともに組み立てられる内側部１６４は、外側部１６２内を摺動可能である。
【００４３】
高さ調節機構１６０は、外側ハウジング部１７０と内側ハウジング部１７２とを含み、当該ハウジング部は、外側部１６２の周りの囲いを形成する。囲い内に受け入れられるのは、高さ調節解除作動部３６と、支持プレート１７６とである。各支持プレート１７６および内側ハウジング１７４は、支持凹所１７４を有し、当該支持凹所１７４は、ともに、高さ調節解除作動部３６用の支持部を定める。解除作動部３６は、支持部内に受け入れられるピボットピン１７８を有する。ばね１８０が、図２２に示すように、ばね差し込み部１８２に装着される。
【００４４】
図２２にさらに示すように、外側部１６２は、支持プレート１７６の外側に配置された位置決めタブ１８６用の位置決めスロット１８４を有する。ハウジング部１７０、１７２が外側部１６２の周りに組み立てられると、位置決めタブ１８６は、外側部１６２に対する支持プレート１７６の位置を定める。同様に、外側ハウジング部１７０の内側の面の位置決めタブ１８８は、外側ハウジング部１７０の位置を定めるように、外側部１６２の外側の面の位置決めスロット１９０内に受け入れられる。
【００４５】
支持プレート１７６と、外側部１６２の内側の面とは、解除作動部のつめ１９３が延びる、位置合わせされた孔１９０、１９２を有する。つめ１９３は、ばね１８０が解除作動部の下側に作用することにより、通常偏倚されて孔１９０、１９２を延びる。つめ１９３は、ラック１６８に設けられた一連の戻り止めの１つに係合する。よって、高さ調節機構を作動させるために、使用者は、つめ１９３と反対側の解除作動部の端部を押し下げることにより、つめ１９３とラック１６８との係合を解除する。ハウジング部１７０、１７２を把持することにより、使用者は、脚形支柱３４の内側部１６４に対して外側部１６２を引き上げ得る。フレーム１２の高さ調節のために、それぞれの手で解除作動部３６を押し下げる必要があることが、理解されるだろう。これによって、高さ調節機構が不用意に作動することが妨げられる。図２２から分かるように、止め部１９４が、内側部１６４の端部に受け入れられ、内側部１６４が高さ調節機構１６０を超えて外側部１６２から引き出されることを妨げる。
【００４６】
本発明の実施形態を一つしか説明していないが、本発明の範囲を逸脱せずに変更を行い得る。
【図面の簡単な説明】
【図１】本発明の好ましい実施形態に係る小児用椅子の上からの斜視図である。
【図２】図１の小児用椅子の後からの斜視図である。
【図３】図１の小児用椅子の側面図である。
【図４】本小児用椅子の一部分を形成するフレームの斜視図である。
【図５】シートおよびトレイアセンブリのない、図４のフレームから取り外し可能なシート支持部の図である。
【図６】図５のシート支持部の分解図である。
【図７】図６の部品のいくつかの詳細な分解図である。
【図８】フレームに対するシート支持部の傾斜を示す斜視図である。
【図９】トレイアセンブリの分解図である。
【図１０】図９に示す部品の下側からの分解図である。
【図１１】図４のフレームの一部分の分解図である。
【図１２】図１１の部品を別の向きで示した分解図である。
【図１３】フレームの基部を折り畳んだ様子を示す斜視図である。
【図１４】フレームの部分およびシート支持部を保管用の実質的に平坦な形態にした様子を示す斜視図である。
【図１５】簡略化のためシートを取り外したこと以外は、図１４に示したものと同様の斜視図である。
【図１６】トレイアセンブリを取り外して、フレームから取り外したシート部分の、後からの斜視図である。
【図１７】自立した形態の図１６のシート支持部の図である。
【図１８】図１７のシート支持部の前からの斜視図である。
【図１９】低い位置に下げた形態の小児用椅子を示す斜視図である。
【図２０】トレイを突き出した位置にしたこと以外は、図１９と同様の図である。
【図２１】高さ調節を促進する構成要素の分解図である。
【図２２】図２１に示した構成要素のさらに詳細な図である。
【国際調査報告】
2008541956.tif 000025
2008541956.tif 000026
2008541956.tif 000027
2008541956.tif 000028